(57)【要約】【目的】組み立てやすい簡単な構造でありながら、優れた防滴性を有するコネクタを提供する。【構成】第１ケース２２の前開口から第２ケース２３を挿入する。第１ケースの中空円錐台形の後開口２５内にパッキン２６を設ける。パッキンを貫通して第１ケース内に被覆線３１を導き、第２ケースの内部で芯線３２をコンタクト３０に連結する。コンタクトは第２ケースの前端を貫通して第１ケースの前方に突出する。締結ねじ３５を締め付ければ、第２ケース２３がパッキン２６を押して第１ケース２２の後開口２５の内面に押し付ける。第１ケース２２の後開口２５と、その内部に設けられたパッキン２６と、その内部を貫通する被覆線３１は、パッキン２６がつぶれることによって互いに面で密着する。組み立てやすい簡単な構造とローコストのパッキン２６により、被覆線３１がケースを貫通する部分の防滴性は確実に達成される。【選択図】図２
2004193064.tif 000002
【特許請求の範囲】
【請求項１】
前開口と後開口を有する第１のケースと、
第１のケースの前開口から挿入された第２のケースと、
前記第１のケースの後開口内に設けられたパッキンと、
前記パッキンを貫通して前記第１のケースの内部に入り、さらに前記第２のケースの内部に先端が導入された被覆線と、
前記第２のケースの前端を貫通して前記第１のケースの前方に突出し、前記第２のケースの内部で前記被覆線の芯線に接続されたコンタクトと、
前記第２のケースを前記第１のケースの内部に押し込むことにより、前記パッキンを前記第１のケースの後開口と前記被覆線に圧着させる連結手段とを有するコネクタ。
【請求項２】
前記第１のケースの後開口が後方に向けて縮径する中空円錐台形であり、前記パッキンが前記第１のケースの後開口の内面に接する円錐台形状であり、前記被覆線が前記パッキンに形成された貫通孔を挿通しており、前記連結手段を機能させることによって前記第２のケースが前記パッキンを押し、前記パッキンが、前記第１のケースの後開口の内面に押し付けられるとともに、前記被覆線に密着することを特徴とする請求項１記載のコネクタ。
【請求項３】
前記被覆線は、前記第２のケースに設けられた孔から内部に入り、前記第２のケースの内部において前記孔よりも大きい抜け止め部材が取り付けられていることを特徴とする請求項１記載のコネクタ。
【請求項４】
前記第１のケースの前開口の近傍に周状にパッキンが設けられた請求項１記載のコネクタ。
【発明の詳細な説明】
【０００１】
【発明の属する技術分野】
本発明は、各種の電気・電子機器等において用いられるコネクタに関するものである。
【０００２】
【従来の技術】
各種の電気・電子機器等において用いられるコネクタは、ケースの後端部に形成した孔から被覆線を挿入し、ケースの前端部から突出しているコンタクトの内端部に、ケース内に引き込んだ前記被覆線の芯線を接続した構造となっている。被覆線がケースの孔から導出される部分では、ケースと被覆線を伸縮チューブで覆い、防滴機能を与えていた。
【０００３】
【発明が解決しようとする課題】
しかしながら、被覆線はケースの孔を緩く通過しているだけであり、当該部分を外側から単に伸縮チューブで覆った程度では、必要な防滴性能が得られなかった。また、被覆線はケースの孔を緩く通過してケース内でコンタクトピンに接続されているだけであり、機械的な接続強度が低く、耐久性も不十分であった。
【０００４】
本発明は、組み立てやすい簡単なローコストの構造でありながら、優れた防滴性を有し、耐久性にも優れたコネクタを提供することを目的としている。
【０００５】
【課題を解決するための手段】
請求項１に記載されたコネクタは、前開口と後開口を有する第１のケースと、第１のケースの前開口から挿入された第２のケースと、前記第１のケースの後開口内に設けられたパッキンと、前記パッキンを貫通して前記第１のケースの内部に入り、さらに前記第２のケースの内部に先端が導入された被覆線と、前記第２のケースの前端を貫通して前記第１のケースの前方に突出し、前記第２のケースの内部で前記被覆線の芯線に接続されたコンタクトと、前記第２のケースを前記第１のケースの内部に押し込むことにより、前記パッキンを前記第１のケースの後開口と前記被覆線に圧着させる連結手段とを有している。
【０００６】
請求項２に記載されたコネクタは、請求項１記載のコネクタにおいて、前記第１のケースの後開口が後方に向けて縮径する中空円錐台形であり、前記パッキンが前記第１のケースの後開口の内面に接する円錐台形状であり、前記被覆線が前記パッキンに形成された貫通孔を挿通しており、前記連結手段を機能させることによって前記第２のケースが前記パッキンを押し、前記パッキンが、前記第１のケースの後開口の内面に押し付けられるとともに、前記被覆線に密着することを特徴としている。
【０００７】
請求項３に記載されたコネクタは、請求項１記載のコネクタにおいて、前記被覆線が前記第１のケースに設けられた孔から内部に入り、前記第１のケースの内部において前記被覆線に前記孔よりも大きい抜け止め部材が取り付けられていることを特徴としている。
【０００８】
請求項４に記載されたコネクタは、請求項１記載のコネクタにおいて、前記第１のケースの前開口の近傍に周状のパッキンが設けられたことを特徴としている。
【０００９】
【発明の実施の形態】
本発明の実施の形態を図１〜図４を参照して説明する。
図１は、電子機器としての携帯型多チャンネルデータ収録装置１ (データ収録装置１）と、該データ収録装置１に接続されるセンサのコネクタの外観図、図２は図１のイ−イ切断線における断面図、図３は図２のロ−ロ切断線における断面図、図４は本例のコネクタを前記データ収録装置１に接続した状態を示す断面図である。
【００１０】
図１に示すデータ収録装置１の筐体２は、表示部３と操作部４が設けられた表側となる略箱状の上ケースＡと、図４に示すように筐体２の裏蓋となる略板状の下ケースＢからなる。筐体の内部には、回路基板５と、回路基板５にコネクタ６で接続された別体の端子基板７とがある。端子基板７の内側には、受け金具８が設けられており、端子基板７と上ケースＡの受け金具８に対応する部分にはそれぞれ貫通孔９，１０が形成されている。上ケースＡの上端の外側には凹部１１が設けられており、上ケースＡに形成された前記貫通孔１０は該凹部１１内に開口している。
【００１１】
図１に示すように、データ収録装置１の筐体２に形成された凹部１１には、カバー用のパッキン１２が設けられているが、これを図示のように外した状態で、データ収録装置１に外部のセンサのコネクタ２０を接続するように構成されている。なお、カバー用のパッキン１２は図４では図示を省略している。
【００１２】
図２に示すように、このコネクタ２０の筐体２１は、第１のケース２２と第２のケース２３の二重構造となっている。第１のケース２２は外側のケースであり、全体として略矩形の箱型であって、その前端には矩形の前開口２４が形成され、その後端には後開口２５が形成されている。後開口２５は、第１のケース２２の後方に向けて縮径する中空円錐台形であり、第１のケース２２と一体に成形されたボス状の部分である。
【００１３】
第１のケース２２の後開口２５内には、円錐台形の中空部に合致した円錐台形状の第１のパッキン２６が挿入されている。従って、この第１のパッキン２６のテーパ状の周面は、第１のケース２２の後開口２５の内面に面で接触している。この第１のパッキン２６の後端の一部は、後開口２５から後方に突出している。
【００１４】
第１のケース２２の前開口２４の近傍には、第２のパッキン２７が周状に設けられている。この第２のパッキン２７は断面略繭状であり、第１のケース２２の表面よりも外方に突出している。
【００１５】
第２のケース２３は、全体として略矩形の箱型であって、その外形状は、第１のケース２２の内形状に略合致している。即ち、第２のケース２３は、第１のケース２２の前開口２４から内部に挿入し、その全体をそっくり収納することができる。この第２のケース２３には、データ収録装置１の受け金具８に挿入接続される２本のピン状のコンタクト３０が設けられている。このコンタクト３０は、第２のケース２３の前端を貫通しており、前記第１のケース２２の前方に突出している。
【００１６】
センサの導線である被覆線３１が、第１のパッキン２６を防滴状態で貫通し、第１のケース２２の内部に入り、さらに第２のケース２３の孔２３ａを挿通して第２のケース２３の内部に導入されている。そして、第２のケース２３の内部において、被覆線３１の２本の芯線３２が、２本のコンタクト３０の後端部にそれぞれ接続されている。第２のケース２３の内部にある被覆線３１には、第２のケース２３に設けられた孔３２ａよりも大きい抜け止め部材３３が取り付けられている。
【００１７】
被覆線３１を引張った場合、テーパ状の第１のパッキン２６が第１のケース２２の後開口２５に食い込むので、第１のパッキン２６が抜けることはない。また、被覆線３１に設けた抜け止め部材３３が第２のケース２３の内面に係止するので、該引張り力が芯線３２とコンタクト３０の接続部に直接加わることはなく、当該接続部が断線するおそれはない。また、第１のパッキン２６の後端の一部は、後開口２５から後方に突出しているので、被覆線３１がこの部分で曲げられても第１のケース２２に当たって擦れることはなく、突出した第１のパッキン２６の一部２６ａに保護されるので、被覆線３１の耐久性も向上する。
【００１８】
組み合わされた第１のケース２２と第２のケース２３の後端面には、連結手段としての締結ねじ３５が設けられている。この締結ねじ３５は、第１のケース２２に形成された締結ねじ３５よりも大径の貫通孔３６を通り、第２のケース２３に形成されたねじ部３７にねじ込まれている。従って、この締結ねじ３５をねじ部にねじ込む方向に回転させれば、締結ねじ３５は定位置で回転するので、第２のケース２３は第１のケース２２の内面に沿い、第１のケース２２に接近する方向、即ち後方に向けて移動する。
【００１９】
締結ねじ３５の上記操作により、第２のケース２３が第１のケース２２の内部に押し込まれれば、第２のケース２３が第１のパッキン２６の前端を後方へ向けて押すので、第１のパッキン２６は第１のケース２２の後開口２５の内面（テーパ面）に押し付けられるとともに、第１のパッキン２６を挿通する被覆線３１に対しても密着する。
【００２０】
従って、第１のケース２２の後開口２５と、その内部に設けられた第１のパッキン２６と、その内部を貫通する被覆線３１とは、第１のパッキン２６がつぶれることによって互いに面で密着する。よって、組み立てやすい簡単な構造とローコストのパッキン２６により、ケースの後端を被覆線３１が貫通する部分での防滴性は確実に達成される。
【００２１】
なお、前記第１のケース２２の一側部には、コネクタ２０をデータ収録装置１に差し込んだ状態で固定しておくため、係止具４０が一体に形成されている。係止具４０は、鉤状乃至突起状の係止部４１と、係止部４１とは反対側にある滑り止めの凹凸を備えた操作部４２と、係止部４１と操作部４２の間を第１のケース２２に連結する連結部４３とを有している。
【００２２】
図４に示すように、コネクタ２０をデータ収録装置１の凹部１１に挿入し、コンタクト３０を受け金具８に挿入すれば、係止具４０の係止部４１が上ケースＡの係止凹部４３に係合してコネクタ２０がデータ収録装置１に固定されて抜け止めとなる。ここで、コネクタ２０の第１のケース２２の第２のパッキン２７は、凹部１１の内周面に全周にわたって適度な圧力で接触して変形するので、上ケースＡの内部の防滴性が損なわれることはない。測定終了後には、操作部４２を押して係止部４１を持ち上げれば、係止部４１は係止凹部４３から外れるので、コネクタ２０を抜き取ることができる。この係止具４０のロック解除操作とコネクタ２０の抜去操作は、コネクタ２０を持つ片方の手のみによりワンタッチで容易に行なえるので、現場で携帯して行なう測定作業の効率が向上する。
【００２３】
【発明の効果】
以上説明したように、本発明のコネクタによれば、２つのケースで構成されるコネクタの筐体において、被覆線を通したパッキンを２つのケースで挟む構造を採用しているので、組み立てやすい簡単かつローコストの構造で所望の防滴性を得ることができ、被覆線は抜けにくく、被覆線の曲げ部の耐久性を向上させる構成とすることもできる。
【図面の簡単な説明】
【図１】電子機器としての携帯型多チャンネルデータ収録装置 (データ収録装置）と、該データ収録装置に接続されるセンサのコネクタの外観図である。
【図２】図１のイ−イ切断線における断面図である。
【図３】図２のロ−ロ切断線における断面図である。
【図４】本例のコネクタを前記データ収録装置に接続した状態を示す断面図である。
【符号の説明】
２０…コネクタ、２２…第１のケース、２３…第２のケース、２３ａ…孔、２４…前開口、２５…後開口、２６…第１のパッキン、２７…第２のパッキン、３０…コンタクト、３１…被覆線、３２…芯線、３３…抜け止め部材、３５…連結手段としての締結ねじ。
【図１】
2004193064.tif 000003
【図２】
2004193064.tif 000004
【図３】
2004193064.tif 000005
【図４】
2004193064.tif 000006